(57)【要約】      （修正有）【課題】スライド体が棒状部材を軸廻りに左右にガタ付くことなく一定姿勢を保持しながら棒状部材に案内されて棒状部材長手方向にスムーズにスライド移動でき、且つ、棒状部材の所定の位置である爪支持部で所定の姿勢で静止保持される構造を実現し、尚且つ、スライド体の一片からスライド体全体を押すだけのワンタッチ操作でスライドを移動させることができる、スライド体が付く棒状部材。【解決手段】棒状部材１の爪部８が押し当たる部位に微細な方向性のあるノコギリ歯状の凹凸を持つ角の鋭い角当り爪支持部２，２ａを所定のゲージ位置に配列あるいは一定の長さをもって設け、スライド体７のシャフト通し穴に前記爪支持部２，２ａに食い込む爪部８を設ける。【選択図】図１
2006152787.tif 000002
【特許請求の範囲】
【請求項１】
棒状部材と、
この棒状部材に設けられた角の鋭い角当り爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記角の鋭い角当り爪支持凹部に食い込む爪部とからなり、
前記スライド体の開付勢力あるいは閉付勢力により前記爪部の縁が付勢により前記角の鋭い角当り爪支持凹部に押し付けられて食い込み状態となることにより、前記スライド体が左右にガタついたり回ったりしないように前記棒状部材に保持されるようにしてなることを特徴とするスライド体が付く棒状部材。
【請求項２】
棒状部材と、
この棒状部材に設けられた鋭利な左右角を持つ角の鋭い角当り爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記鋭利な左右角を持つ角の鋭い角当り爪支持凹部に嵌る略半円弧状の凸部形状爪部とからなり、
前記スライド体の開付勢力あるいは閉付勢力により前記略半円弧状の凸部形状爪部の縁の二点が付勢により前記角の鋭い角当り爪支持凹部の鋭利な左右角に押し付けられて食い込むことにより、前記スライド体が左右にガタついたり回ったりしないように前記棒状部材に静止保持されるようにしてなることを特徴とするスライド体が付く棒状部材。
【請求項３】
棒状部材と、
この棒状部材に設けられた爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記爪支持凹部の左右側壁に当り食い込む鋭利な左右角を有する爪部とからなり、
前記爪部の左右角が前記爪支持持凹部の左右側壁に付勢押し付けられて食い込むことにより前記スライド体が左右にガタつかないあるいは回らないように前記棒状部材に保持されるようにしてなることを特徴とするスライド体が付く棒状部材。
【請求項４】
棒状部材と、
この棒状部材の長手方向に一定の長さをもって設けられた爪支持凸部あるいは角の鋭い角当り爪支持凹部を設けた爪支持凸部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記爪支持凸部あるいは角の鋭い角当り爪支持凹部を設けた爪支持凸部に嵌まる凹部形状爪部とからなり、
前記爪支持凸部あるいは角の鋭い角当り爪支持凹部を設けた爪支持凸部に前記凹部形状爪部が嵌る状態となることにより、前記スライド体が左右にガタつかないあるいは軸廻りに回らないように前記棒状部材に保持されるようにしてなることを特徴とするスライド体が付く棒状部材。
【請求項５】
棒状部材に設けられた、角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部を所定のゲージ位置に適宜に配列されたことを特徴とする請求項１〜４のいずれか記載のスライド体が付く棒状部材。
【請求項６】
棒状部材に設けられた、角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部が、爪部を嵌めたままスライド体をスライドさせることができる長溝形態あるいは長凸条形態であることを特徴とする請求項１〜５のいずれか記載のスライド体が付く棒状部材。
【請求項７】
棒状部材に設けられた、角の鋭い角当り爪支持凹部あるいは鋭利な左右角を持つ角の鋭い角当り爪支持凹部あるいは爪支持凹部あるいは角の鋭い角当り爪支持凸部あるいは角の鋭い角当り爪支持凹部を設けた爪支持凸部の爪部が押し当たる部位に微細な方向性のあるノコギリ歯状の凹凸が設けられていることを特徴とする請求項１〜６のいずれか記載のスライド体が付く棒状部材。
【請求項８】
棒状部材は、丸棒であることを特徴とする請求項１〜７のいずれか記載のスライド体が付く棒状部材。
【請求項９】
スライド体付き棒状部材が軒の幕板などに固定されて軒樋を支持する樋支持具であって、
スライド体を１個あるいは２個設け、スライド体が前記軒樋の前部側を支持する屋外側樋耳保持具及び後部側を支持する屋内側樋耳保持具あるいはそのどちらかを形成してなることを特徴とする請求項１〜８のいずれか記載のスライド体が付く棒状部材。
【発明の詳細な説明】
【技術分野】
【０００１】  本発明は、樋支持具、さらに詳しくは軒の幕板などに固定されて軒樋を支持する樋支持具などに応用されるスライド体付棒状部材の改良に関する。
【背景技術】
【０００２】  従来の、この種スライド体が付く棒状部材としては、例えば特許第３５７６９１６号公報所載の考案が存在する。
即ち、この従来のものは、図８（イ）で斜視図で示す様に、屋外側樋耳保持具３０及び屋内側樋耳保持具３１をスライド体としてバネ平板を展開させて折りまげて形成し棒状支持体３３に沿う主体片と二つの取付片３５とにより断面視略コ字状に形成し、二つの取付片の根元側に挿通孔３２を穿設して、取付片を相対向する方向に弾発的に押圧して棒状支持体に挿通孔を挿通してスライド体を棒状部材状支持体にスライドさせて樋支持具としたものである。
しかしながら、上記従来のものは、スライド体である屋外側樋耳保持具及び屋内側樋耳保持具の棒状支持体である棒状部材を通す通し孔である挿通孔は、（ロ）で展開図で示す様に単に楕円形の挿通孔である為、スライド体の弾発性を使って棒状部材長手方向にスライド体を固定できても、軸周り方向にはスライド体を所望位置に位置決め固定できず、スライド体がクルクルと軸廻りに回転してしまいスライド体が一定姿勢を静止保持できないという問題点を有していたのである。
軒樋取付作業では、スライド体である屋外側樋耳保持具及び屋内側樋耳保持具の姿勢をまずクルクルと軒樋を保持できる様に手直ししてからでなければ軒樋を嵌める作業ができないという問題点を有していたのである。
棒状部材側のゲージ３４も単なる印でしかなく、特にスライド体を固定する工夫はなされてはいない。スライド体である屋外側樋耳保持具及び屋内側樋耳保持具の位置が左右にぐらつかず固定し所定の向きを堅持する構造は樋支持具の軒樋取付作業において必要である。
また、他の従来技術として、図９で示すように、実願昭５６−０５１３２１号もあげられるが、包持板４０はスプリング材ではなく、その為に係合片４１を固定体に設けられた調節係合穴に嵌めこむ目的で包持板上辺部に対し平行ではなく下向きに設けられていることが本願とは異なる。係合片は、上から下へカチャンカチャンと調節係合穴に置くことにより係合するがキチンと嵌める手段はとられてはおらず、ガタ付きは残るという問題点を有していたのである。
また、包持板は、下からスプリング材４２で持ち上げられているだけだから不安定でり、包持板を調節係合穴に嵌める位置を肉眼で確認できず手探りになり、位置合わせが難しいという問題点を有していたのである。
また、他の従来技術として、図１０で示すように、特開２００３−１３５６９号もあげられるが、屋外側樋耳部を保持する樋耳掛止部５０と屋内側樋耳部を保持する樋耳掛止部５１を二つの操作片部との接点であるリベット５２の一点で支える構造になっており、樋を樋支持具に嵌めるとその重みをリベットの一点では支えきれず、屋外側樋耳部を保持する樋耳掛止部が下がってしまうという問題点を有していたのである。
樋支持具本体を取り付けるスライド足片５３である平角棒状部材全体的にその長手方向に連続された凹凸部を設けたことが本願とは異なり、且つ凹凸部５５にはノコギリ歯状の方向性がないことが本願とは異なり、樋耳係止部５０あるいは５１の左右どちらか一方を押すことによりスライド体である樋耳掛止部５０と樋耳掛止部５１をスライド移動させることはできない
また爪部５４は、蝶バネ貫通口５５から飛び出した形状であることが、本願とは異なる。爪部は、スライド足片長手方向へ蝶バネが前後スライド移動することを阻止できるがスライド足片巾手方向の左右のガタツキは阻止できないという問題点も有していたのである。
また、他の従来技術として、図１１で示すように、特開２００３−１３５７１号もあげられるが、平角棒状部材５３にはその長手方向に一定の長さをもって設けられた長凸条形態爪支持部はなく、長手方向全体に連続した凹凸部が設けられていると、樋耳係止部を、スライド足片長手方向へスライド移動させる時、ガタガタガタとさせながら移動することになり、移動にスムーズさがないという問題点も有していたのである。
また、樋耳係止部をスライド足片長手方向へスライド移動させる為には蝶バネ貫通口６１を凹凸部の厚みより少し大きめに設ける必要があり、完全に樋耳係止部を静止させることは難しいという問題点を有していたのである。
また、屋外側樋耳部を保持する樋耳掛止部６２と屋内側樋耳部を保持する樋耳掛止部６３を二つの操作片部との接点であるリベット６４の一点で支える構造になっており、樋を樋支持具に嵌めるとその重みをリベットの一点では支えきれず、屋外側樋耳部を保持する樋耳掛止部と屋内側樋耳部を保持する樋耳掛止部が静止安定せずガタつくという問題点を有していたのである。
【特許文献１】  特許第３５７６９１６号  実願昭５６−０５１３２１号  特開２００３−１３５６９号  特開２００３−１３５７１号
【発明の開示】
【発明が解決しようとする課題】
【０００３】  スライド体が棒状部材を軸廻りに左右にガタ付くことなく一定姿勢を保持しながら棒状部材に案内されて棒状部材長手方向にスムーズにスライド移動でき、且つ、棒状部材の所定の位置である爪支持部で所定の姿勢で静止保持される構造を実現し、尚且つ、スライド体の一片からスライド体全体を押すだけのワンタッチ操作でスライドを移動させることができる、スライド体が付く棒状部材の考案を課題とする。
【課題を解決するための手段】
【０００４】  即ち、上記課題を解決する為に本発明が採った手段は、次に述べるような構成となっている。
＜請求項１記載の発明＞
棒状部材と、
この棒状部材に設けられた角の鋭い角当り爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記角の鋭い角当り爪支持凹部に食い込む爪部とからなり、
前記スライド体の開付勢力あるいは閉付勢力により前記爪部の縁が付勢により前記角の鋭い角当り爪支持凹部に押し付けられて食い込み状態となることにより、前記スライド体が左右にガタついたり回ったりしないように前記棒状部材に保持されるようにしてなることを特徴とするスライド体が付く棒状部材を構成している。
＜請求項２記載の発明＞
棒状部材と、
この棒状部材に設けられた鋭利な左右角を持つ角の鋭い角当り爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記鋭利な左右角を持つ角の鋭い角当り爪支持凹部に嵌る略半円弧状の凸部形状爪部とからなり、
前記スライド体の開付勢力あるいは閉付勢力により前記略半円弧状の凸部形状爪部の縁の二点が付勢により前記角の鋭い角当り爪支持凹部の鋭利な左右角に押し付けられて食い込むことにより、前記スライド体が左右にガタついたり回ったりしないように前記棒状部材に静止保持されるようにしてなることを特徴とするスライド体が付く棒状部材を構成している。
＜請求項３記載の発明＞
棒状部材と、
この棒状部材に設けられた爪支持凹部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記爪支持凹部の左右側壁に当り食い込む鋭利な左右角を有する爪部とからなり、
前記爪部の左右角が前記爪支持凹部の左右側壁に付勢押し付けられて食い込むことにより前記スライド体が左右にガタつかないあるいは回らないように前記棒状部材に保持されるようにしてなることを特徴とするスライド体が付く棒状部材を構成している。
＜請求項４記載の発明＞
棒状部材と、
この棒状部材の長手方向に一定の長さをもって設けられた爪支持凸部あるいは角の鋭い角当り爪支持凹部を設けた爪支持凸部と、
前記棒状部材に付勢支持され且つ該棒状部材に案内されてスライド可能に設けられた、前記棒状部材を通す第１の通し孔を有する第１の付勢部、この第１の付勢部と付勢体を形成してなる前記棒状部材を通す第２の通し孔を有する第２の付勢部とからなるスライド体と、
前記第１の通し孔および前記第２の通し孔あるはいずれか一方の通し孔に設けられた前記爪支持凸部あるいは角の鋭い角当り爪支持凹部を設けた爪支持凸部に嵌まる凹部形状爪部とからなり、
前記爪支持凸部あるいは角の鋭い角当り爪支持凹部を設けた爪支持凸部に前記凹部形状爪部が嵌る状態となることにより、前記スライド体が左右にガタつかないあるいは軸廻りに回らないように前記棒状部材に保持されるようにしてなることを特徴とするスライド体が付く棒状部材を構成している。
＜請求項５記載の発明＞
棒状部材に設けられた、角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部を所定のゲージ位置に適宜に配列されたことを特徴とする請求項１〜４のいずれか記載のスライド体が付く棒状部材を構成している。
＜請求項６記載の発明＞
棒状部材に設けられた角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部が、爪部を嵌めたままスライド体をスライドさせることができる長溝形態あるいは長凸条形態であることを特徴とする請求項１〜５のいずれか記載のスライド体が付く棒状部材を構成している。
＜請求項７記載の発明＞
棒状部材に設けられた、角の鋭い角当り爪支持凹部あるいは鋭利な左右角を持つ角の鋭い角当り爪支持凹部あるいは爪支持凹部あるいは角の鋭い角当り爪支持凸部あるいは角の鋭い角当り爪支持凹部を設けた爪支持凸部の爪部が押し当たる部位に微細な方向性のあるノコギリ歯状の凹凸が設けられていることを特徴とする請求項１〜６のいずれか記載のスライド体が付く棒状部材を構成している。
＜請求項８記載の発明＞
棒状部材は丸棒であることを特徴とする請求項１〜７のいずれか記載のスライド体が付く棒状部材を構成している。
＜請求項９記載の発明＞
スライド体付き棒状部材が軒の幕板などに固定されて軒樋を支持する樋支持具であって、スライド体を１個あるいは２個設け、スライド体が前記軒樋の前部側を支持する屋外側樋耳保持具及び後部側を支持する屋内側樋耳保持具あるいはそのどちらかを形成してなることを特徴とする請求項１〜８のいずれか記載のスライド体が付く棒状部材を構成している。
【発明の効果】
【０００５】＜請求項１記載の発明の効果＞
スライド体の爪部は、付勢力をもって棒状部材に設けられた角の鋭い角当り爪支持凹部に嵌り、前記角の鋭い角当り爪支持凹部の上部角に押し付けられて食い込み状態となる構造によりお互いにお互いを押し付け合うことによって、スライド体を前後に固定する効果と左右方向に固定する効果の２つの効果を奏する。
スライド体を棒状部材軸廻りに回転あるいは左右にガタ付こうとしようとしても、前記スライド体の開付勢力あるいは閉付勢力によりスライド体爪部の縁が付勢押し付けられて棒状部材の角の鋭い角当り爪支持凹部に食い込み嵌ることにより付勢押し付けられるのでガタ付くことができないず、スライド体が所定の位置と向きを堅持できる構造を実現するとするという効果を奏する。
また、必要な場合は、スライド体を摘み抑え収縮させる等の操作を行うことにより、スライド体爪部を棒状部材の角の鋭い角当り爪支持凹部から浮き上がらせて、棒状部材に案内されての棒状部材長手方向へのガタツキのないスムーズなスライド移動や棒状部材軸廻りに回し操作を行なえるという効果も容易に得ることができる。
＜請求項２記載の発明の効果＞
爪部を略半円弧状の凸部形状にすることにより、略半円弧状の出っ張った部分が鋭利な左右角を持つ角の鋭い角当り爪支持凹部に入り込む形となり、前記鋭利な左右角を持つ角の鋭い角当り爪支持凹部との食い込み関係を、たとえば逆三角形など色々な形状のなかで最も安定した、左右前後にガタ付くことのないものにするという効果を奏する。しかし、この場合、略半円弧状の最も出張った縁は爪支持凹部の底に接触しないことが重要である。
その理由は、前記鋭利な左右角を持つ角の鋭い角当り爪支持凹部の上部左右の角が略半円弧状部の縁に食い込み的状態（引っ掛かり状態）となり、接点である２点が付勢食い込み的状態となる２点接触であるので（略略半円弧状部が爪支持凹部の底に到達するケースである３点接触あるいは爪支持凹部の底のみに爪部の最も出っ張った部分が接触する１点接触では、シーソーのように左右に揺れ安定しずらい）、スライド体が安定した状態で静止し、回転しない強力な構成を実現するという効果を得ることができる。
スライド体の通し孔に設けた凸部である爪部と棒状部材に設けた前記鋭利な左右角を持つ角の鋭い角当り爪支持凹部の付勢当接形態部位の接点を、二点にすることによって姿勢や食い込みが安定し、シーソーのように左右に揺れることが起こらず、スライド体が棒状部材の周りをガタついたり回転したりしない、確実に静止し保持してなるとするという効果を奏する。
＜請求項３記載の発明の効果＞
前記第１の通し孔および前記第２の通し孔あるはいずれか一方の通し孔に設けられた前記爪支持凹部に嵌る爪部を鋭利な左右角９ａを有する爪部８ｂにすることにより、
前記爪部の左右角が前記爪支持凹部の左右側壁に付勢押し付けられて食い込み的状態となり前記スライド体が左右にガタつかないあるいは回らないように前記棒状部材に保持されるようにしてなるものという、効果を奏することができる。
＜請求項４記載の発明の効果＞
スライド体に設けた凹部形状爪部と爪食い込み支持凹部で食い込む構造をもつ、棒状部材の長手方向に一定の長さをもって設ける爪支持凸部は、棒状部材より飛び出した形状に設けられているので、高所においてスライド体のスライド移動をする必要がある場合に、斜め下方向からでもよく見えスライド易いという効果を奏する。
＜請求項５記載の発明の効果＞
棒状部材に設けられた、角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部を所定のゲージ位置に配列すると、スライド体を好みのゲージ位置に静止保持できるという効果を奏する。
爪支持凹部を設けていないゲージとゲージの間の部分に付いては、スライド体は棒状部材軸廻りに回転してしまうが、次のゲージである爪支持凹部にまでスライド体の二つの取付片を相対向する方向に弾発的に押圧して摘んで移動させると次のゲージである爪支持凹部でスライド体は左右にガタつかないあるいは回らないようになるという効果を得ることができる。
＜請求項６記載の発明の効果＞
角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部を棒状部材の長手方向に一定の長さをもって長溝形態あるいは長凸条形態で設けると、、好みのゲージ位置にまでスライド体の二つの取付片のどちらか一方を希望の長手方向に押すだけで、爪部を嵌めたまま、レールの上を電車が走る様に、レールである角の鋭い角当り爪支持凹部あるいは鋭利な左右角を持つ角の鋭い角当り爪支持凹部あるいは爪支持凹部あるいは爪支持凸部あるいは角の鋭い角当り爪支持凹部を設けた爪支持凸部を外れることなく移動できそして静止保持できるという効果を奏する。
また、長手方向の一定の長さの間のどこでも、それこそ自由自在に保持位置を選べるという効果も奏する。請求項４記載の発明の効果で記載した、次のゲージ位置までの移動においてスライド体の二つの取付片を相対向する方向に弾発的に押圧して摘んで移動させる手間もいらない。
＜請求項７記載の発明の効果＞
棒状部材に設けられた角の鋭い角当り爪支持凹部あるいは鋭利な左右角を持つ角の鋭い角当り爪支持凹部あるいは爪支持凹部あるいは角の鋭い角当り爪支持凸部あるいは角の鋭い角当り爪支持凹部を設けた爪支持凸部が押し当たる部位に微細な方向性のあるノコギリ歯状の凹凸を設けることにより、前記角の鋭い角当り爪支持凹部あるいは鋭利な左右角を持つ角の鋭い角当り爪支持凹部あるいは爪支持凹部あるいは角の鋭い角当り爪支持凸部あるいは角の鋭い角当り爪支持凹部を設けた爪支持凸部に爪部を嵌めたままスライド体の一方を押すことによりスライドさせる時、一方向へ向かってスライド体をスライドし易くなり、且つ戻りにくくなるという効果を奏する。
＜請求項８記載の発明の効果＞
棒状部材を丸棒にすると、部材の重量が軽くなり、材料コスト軽減になると共に、取り付けた相手への重量負担が軽減できるという効果を奏する。また、しなり防止の為の一定の厚みを平角棒に比べて低コストで実現できるという効果を奏する。
＜請求項９記載の発明の効果＞
スライド体付き棒状部材が軒の幕板などに固定されて軒樋を支持する樋支持具であっては、スライド体の位置が回転せずあるいは左右にガタつかないように静止固定していることは軒樋を嵌める時に必要であり、軒樋取付作業のときに、スライド体である屋外側樋耳保持具及び屋内側樋耳保持具あるいはそのどちらかの姿勢を軒樋を保持できる様にまずクルクルと手直ししなければならないことが不用となり作業時間の短縮が図れるという効果を奏する。
【発明を実施の形態】
以下、本発明の一実施形態について図面に従って説明する。
【０００６】  図１に於いて、１０は丸棒を使った棒状部材１にスライド体７を屋内側樋耳保持具として設けた樋支持具を示し、爪支持凹部２が棒状部材の長手方向に一定の長さＶをもって長溝形態に設けられ、その上部左右のスライド体７の爪部８が押し当たる部位２ａには微細な方向性のあるノコギリ歯状の凹凸が設けられると共に、前記棒状部材に通る第２の通し孔５に略半円弧状の凸部形状爪部８が設けられている。スライド体７には、その他、前記棒状部材に通る第１の通し孔３、スライド体の第１の付勢部４、スライド体の第２の付勢部６、スライド体の二つの取付片１１が設けられている。
この実施例は、スライド体を摘む必要さえないワンタッチ汎用樋支持具であり、（ハ）で図示した様に、スライド体の移動はスライド体の一側面１２を親指で押すだけでできる。
尚、スライド体の一側面１２と相対向する側面であるスライド体の第２の付勢部６に設けた第２の通し孔５のみに略半円弧状の凸部形状爪部８を設けると、スライド体の一側面１２を親指で押す力によってスライド体の第１の付勢部４がバネとなり、小さな押力で引っかかることなく軽くスライド体をスライド移動できる。
（ト）の部分拡大図で図示した、前記爪支持凹部２にスライド体爪部８を嵌めたままの状態でスライド体を親指で押すだけでスライドさせることができる。
略半円弧状の凸部形状爪部８は、両親指に押されて、棒状部材に設けられた長溝２内をその棒状部材長手方向へと滑って移動する。
また、（ニ）で図示した様に、爪支持凹部のスライド体通し孔の爪部が押し当たる部位に微細な方向性のあるノコギリ歯状の凹凸２ａを設けると、上記スライド移動がよりスムーズになり且つ戻らない。
尚、元の位置に戻す必要がある場合は、二つの取付片１１を相対向する方向に弾発的に押圧して略半円弧状の凸部形状爪部８を爪支持凹部２ａから浮かせてることによって相互の食い込みを解除すれば所望位置へとスライド移動して戻すことができる。
【０００７】  尚、上記実施形態に於いては、丸棒である棒状部材に長溝形態のノコギリ歯状の凹凸が設けられる爪支持凹部を形成したが、例えば図２（ロ）（ハ）のように棒状部材を平角板１ｂ、１ｃで形成したり、図２（イ）（ロ）のように爪支持凹部を角孔２ｂや丸孔２ｃで設けたり、（ハ）のように棒状部材の巾方向に凹凸２ｄを設け、その上部左右にノコギリ歯状の凹凸２ｅを形成することも可能である。
（ニ）では（ハ）の棒状部材１ｃに設けられた爪支持凹部２ｄのノコギリ歯状の凹凸２ｅに、スライド体に設けた第２の通し孔５ａに設けた爪８ａが嵌合している仕組みを断面を図示した。
【０００８】  また、図３のように、ノコギリ歯状の凹凸２ｇを、棒状部材１ｄに設けた長溝形態の爪支持凹部２ｆの左右側壁に設け、スライド体に設けた第２の通し孔５ｂの爪部を鋭利な左右角９を有する爪部８ｂにすることにより爪支持凹部２ｆと爪部８ｂとを食い込み的関係にすることも可能である。
【０００９】  また、図４のように、棒状部材１ｆに設ける爪支持部を凹部ではなく爪支持凸部２ｉとして設けると共に、前記爪支持凸部２ｉに適宜に配列された微細な凹部２ｊにより、（ニ）で断面図で示したように、スライド体に設けた第２の通し孔５ｃの爪部８ｃとを食い込み的関係にすることも可能である。爪支持凸部２ｉは（ハ）の側面図で示したようにノコギリ歯状の凹凸形状で設けられているので、図１のスライド体７を図４実施例に嵌めても、図１の実施例同様にスライド体は前記爪支持凹部２ｊにスライド体爪部８を嵌めたままの状態でスライド体を親指で押すだけでスライドさせることができる。
【００１０】  さらに、上記実施形態を図５〜７のように、スライド体を２個設け、スライド体が前記軒樋の前部側を支持する屋外側樋耳保持具７ｂ〜７ｄ及び後部側を支持する屋内側樋耳保持具７ｅ〜７ｇを形成してなることを軒の幕板などに固定されて軒樋を支持する樋支持具１０ａ〜１０ｃとして設計することも可能である。
図５のように角孔である所定のゲージ位置に適宜に配列された爪支持凹部２ｋ、図６のように爪部を嵌めたままスライド体をスライドさせることができる長溝形態爪支持凹部２ｍ、図７のように長手方向に一定の長さをもって設けられた爪支持凸部２ｎの実施例とすることも可能である。
これらは、屋外側樋耳保持具７ｂ〜７ｄと屋内側樋耳保持具７ｅ〜７ｇの両方がスライド移動できる樋支持具の実施例である。
図５の実施例では、屋外側樋耳保持具７ｂと屋内側樋耳保持具７ｅのゲージ位置の間隔Ｘを一マス分開けたりあるいは二マス分開けたりすることによって、軒樋巾Ｗａの大きな軒樋１６にも小さな軒樋１５にも使用できる汎用性のある樋支持具となる。
また、さらに、図６の実施例においては、屋外側樋耳保持具７ｃと屋内側樋耳保持具７ｆ間隔をミリ単位で自由自在に開けることができ、樋巾を職人の判断や現場の事情等で自由に決めることができる大変汎用性のある樋支持具となる。
図７の実施例においては、所定のゲージ位置に適宜に配列された爪支持凹部を設ける場合は図５に、また設けない場合は図６に準じる樋支持具となる。
【００１１】  その他、棒状部材１〜１ｈ、爪支持部２〜２ｎ、スライド体７〜７ｇ及び爪部８〜８ｃの形状等の具体的な特定事項も決して上記実施形態に限定されず、本発明の意図する範囲内に於いて任意に設計変更自在である。
【図面の簡単な説明】
【００１２】
【図１】本発明に係る樋支持具の一実施形態を示し、（イ）は斜視図、（ロ）はスライド体のない状態の樋支持具の平面図、（ハ）はスライド体７を両親指でスライド移動させている使用状態を表わす平面図  （ニ）は爪支持凹部の、スライド体通し孔の爪部が押し当たる部位に微細な方向性のあるノコギリ歯状の凹凸２ａが設けられていることを表わす斜視図、（ホ）は軒樋巾Ｗの大きな軒樋１３にも小さな軒樋１４にも使用できる汎用性のある樋支持具１０であることを示した側面図、（ヘ）はＡ−Ａ断面図、（ト）は棒状部材１に設けられた爪支持凹部２に、スライド体に設けた略半円弧状の凸部形状爪８が嵌合している仕組みを図示した（ヘ）の部分拡大図、（チ）はスライド体７の展開図、（リ）は（チ）で図示した前記棒状部材に通る第２の通し孔５の部分拡大図。
【図２】本発明に係る棒状部材および爪支持部の他の実施形態を示し、（イ）（ロ）（ハ）は斜視図、（ニ）は棒状部材１ｃに設けられた爪支持凹部２ｄのノコギリ歯状の凹凸２ｅに、スライド体に設けた第２の通し孔５ａに設けた爪８ａが嵌合している仕組みを示す断面図。
【図３】本発明に係る棒状部材および爪支持部の他の実施形態を示し、（イ）は斜視図、（ロ）は（イ）の一部拡大図、（ハ）は棒状部材１ｄに設けた長溝形態の爪支持凹部２ｆの左右側壁にノコギリ歯状の凹凸２ｇを設け、スライド体第２の通し孔５ｂの爪部を鋭利な左右角９を有する爪部８ｂにすることにより爪支持凹部２ｆと爪部８ｂが嵌合している仕組みを示す断面図。
【図４】本発明に係る棒状部材および爪支持部の他の実施形態を示し、（イ）は斜視図、（ロ）は（イ）の一部拡大図、（ハ）は（ロ）の側面図、（ニ）は棒状部材１ｆに設けた爪支持凸部２ｉに適宜に配列されて設けた微細なノコギリ歯状凹部２ｊとスライド体に設けた第２の通し孔５ｃの爪部８ｃが嵌合している仕組みを示す断面図。
【図５】本発明に係る樋支持具の他の実施形態を示す側面図。
【図６】本発明に係る樋支持具の他の実施形態を示す側面図。
【図７】本発明に係る樋支持具の他の実施形態を示す側面図。
【図８】従来例を示す樋支持具の斜視図。
【図９】他の従来例を示す樋支持具の斜視図。
【図１０】他の従来例を示す樋支持具の斜視図及び部分拡大断面図。
【図１１】他の従来例を示す樋支持具の斜視図。
【符号の説明】
【００１３】１〜１ｈ：棒状部材
２〜２ｎ：爪支持部
３：第１の通し孔
４：第１の付勢部
５〜５ｃ：第２の通し孔
６：第２の付勢部
７〜７ｇ：スライド体
８〜８ｃ：爪部
９：爪部の鋭利な左右角
１０〜１０ｃ：樋支持具
１１：スライド体の二つの取付片
１２：スライド体の一側面
【図１】
2006152787.tif 000003
【図２】
2006152787.tif 000004
【図３】
2006152787.tif 000005
【図４】
2006152787.tif 000006
【図５】
2006152787.tif 000007
【図６】
2006152787.tif 000008
【図７】
2006152787.tif 000009
【図８】
2006152787.tif 000010
【図９】
2006152787.tif 000011
【図１０】
2006152787.tif 000012
【図１１】
2006152787.tif 000013